(57)【特許請求の範囲】
【請求項１】
光源と、
前記光源から出射された光を照明する照明部と、
前記照明部から照明された光を受けて映像を具現し、前記照明部の光軸と異なる軸に中心が位置する画面素子と、
を含み、前記画面素子は、前記照明部の光軸の上方に配置されており、オフセットが１％〜２００％となるように配置されており、
前記照明部は、
前記光源から出射された光を一定の方向に平行に進行させるコリメーションレンズと、
前記コリメーションレンズの光を前記画面素子に均一に入射されるように作る光部品と、
前記光源、コリメーションレンズ及び光部品の光軸とチルトしている少なくとも一つの照明レンズと、
から構成される、プロジェクター。
【請求項２】
前記照明部の光を前記画面素子に透過させるＰＢＳをさらに含み、
前記照明レンズは、第１及び第２照明レンズからなり、
前記第１照明レンズは、前記光部品と前記ＰＢＳとの間に配置され、
前記第２照明レンズは、前記ＰＢＳと前記画面素子との間に配置される、請求項１に記載のプロジェクター。
【請求項３】
光源と、
前記光源から出射された光を照明する照明部と、
前記照明部から照明された光を受けて映像を具現し、前記照明部の光軸と異なる軸に中心が位置する画面素子と、
を含み、前記画面素子は、前記照明部の光軸の上方に配置されており、オフセットが１％〜２００％となるように配置されており、
前記照明部は、ＦＥＬを含み、
前記ＦＥＬは、
入射面に形成されて、入射された光を出射面に集光するマイクロレンズと、
出射面に形成されて、集光された光を光軸から上向きにして進行させるマイクロレンズと、を含む、プロジェクター。
【請求項４】
前記照明部は、前記光源から出射された光を一定の方向に平行に前記ＦＥＬに進行させるコリメーションレンズをさらに含み、
前記光源及び前記コリメーションレンズの光軸が前記ＦＥＬの光軸からチルトしている、請求項３に記載のプロジェクター。
【請求項５】
前記照明部は、前記光源から出射された光を一定の方向に平行に前記ＦＥＬに進行させるコリメーションレンズをさらに含み、
前記光源の中心が前記コリメーションレンズの光軸よりも上方に位置している、請求項４に記載のプロジェクター。
【請求項６】
前記照明部は、前記光源から出射された光を一定の方向に平行に前記ＦＥＬに進行させるコリメーションレンズをさらに含み、
前記光源及び前記コリメーションレンズの光軸と前記ＦＥＬの光軸が同一である、請求項３に記載のプロジェクター。
【請求項７】
光源と、
前記光源から出射された光を照明する照明部と、
前記照明部から照明された光を受けて映像を具現し、前記照明部の光軸と異なる軸に中心が位置する画面素子を含み、前記画面素子は、前記照明部の光軸の上方に配置されており、オフセットが１％〜２００％となるように配置されており、
前記照明部は、
前記光源から出射された光を一定の方向に平行に進行させるコリメーションレンズと、
前記コリメーションレンズの光を前記画面素子に均一に入射されるように作るＦＥＬと、
前記ＦＥＬを通過した光を上向きに偏向させて画面素子に照明するプリズムと、
を含んでなる、プロジェクター。
【請求項８】
前記プリズムは、
入射される光及び出射される光を屈折させて上向き照明する構造、出射される光を屈折させて上向き照明する構造、及び入射される光を屈折させて上向き照明する構造のうちいずれかである、請求項７に記載のプロジェクター。
【請求項９】
前記プリズムは、前記照明部の光軸に垂直でない２辺を有する、請求項７に記載のプロジェクター。
【請求項１０】
光源と、
前記光源から出射された光を照明する照明部と、
前記照明部から照明された光を受けて映像を具現し、前記照明部の光軸と異なる軸に中心が位置する画面素子を含み、前記画面素子は、前記照明部の光軸の上方に配置されており、オフセットが１％〜２００％となるように配置されており、
前記照明部は、
前記光源から出射された光を一定の方向に平行に進行させるコリメーションレンズと、
前記コリメーションレンズの光を前記画面素子に均一に入射されるように作るＦＥＬと、
前記ＦＥＬの光軸と異なる光軸をそれぞれ有し、前記ＦＥＬを通過した光を画面素子に上向き照明する第１及び第２照明レンズと、
を含んでなる、プロジェクター。
【請求項１１】
光源と、
前記光源から出射された光を照明する照明部と、
前記照明部から照明された光を受けて映像を具現し、前記照明部の光軸と異なる軸に中心が位置する画面素子を含み、前記画面素子は、前記照明部の光軸の上方に配置されており、オフセットが１％〜２００％となるように配置されており、
前記照明部は、
前記光源から出射された光を受けて前記画面素子の形状と同一の光形状にさせる光ガイドブロックと、
前記光ガイドブロックの光軸とずれている光軸を有する照明レンズと、
を含んでなる、プロジェクター。
【請求項１２】
前記光源と前記光ガイドブロックとの間に、
前記光源から出射された光を前記光ガイドブロックに集光させる第１及び第２集光レンズをさらに含む、請求項１１に記載のプロジェクター。
【請求項１３】
光源と、
前記光源から出射された光を一定の方向に平行に進行させるコリメーションレンズと、
前記コリメーションレンズの光を前記画面素子に均一に入射されるように作るＦＥＬと、
前記ＦＥＬを通過した光を上向きに偏向させて照明し、前記ＦＥＬの光軸に垂直でない第１及び第２辺と、前記第１及び第２辺に連結される第３及び第４辺とを有し、前記第３辺及び第４辺のそれぞれと前記第１辺とは鋭角で連結され、前記第３辺及び第４辺のそれぞれと前記第２辺とは鈍角で連結されるプリズムと、
前記プリズムから照明された光を受けて映像を具現し、照明部の光軸と異なる軸に中心が位置する画面素子と、
を含んでなるプロジェクター。
【発明の詳細な説明】
【技術分野】
【０００１】
本発明は、画面素子の位置選定に対する自由度を広げることができるプロジェクターに関するものである。
【背景技術】
【０００２】
近年、大画面の高画質画像を具現する装置として、液晶ディスプレイ（Ｌｉｑｕｉｄ  Ｃｒｙｓｔａｌ  Ｄｉｓｐｌａｙ）、プラズマディスプレイ（Ｐｌａｓｍａ  Ｄｉｓｐｌａｙ  Ｐａｎｅｌ）及びプロジェクターのような投射表示装置（Ｐｒｏｊｅｃｔｉｏｎ  Ｄｉｓｐｌａｙ  Ｓｙｓｔｅｍ）などが用いられている。
【０００３】
一般に、プロジェクターの光学系は、照明系と投射系とに分けられる。
【０００４】
照明系は、ランプ（ｌａｍｐ）からの光を、光トンネルであるインテグレータ（Ｉｎｔｅｇｒａｔｏｒ）やＦＥＬ（Ｆｌｙ  Ｅｙｅ  Ｌｅｎｓ）を通して小さい大きさのイメージャ（ｉｍａｇｅｒ）に均一に照射する役割を果たす。
【０００５】
そして、投射系は、照明系を通して各パネルに照明光を入射させ、イメージャを大きく拡大してスクリーンに結像させる役割を果たす。
【発明の概要】
【０００６】
本発明は、光源と、前記光源から出射された光を照明する照明部と、前記照明部から照明された光を受けて映像を具現し、前記照明部の光軸と異なる軸に中心が位置する画面素子と、を含んで構成されたプロジェクターを提供する。
【０００７】
本発明は、光源と、前記光源から出射された光を一定の方向に平行に進行させるコリメーションレンズと、前記コリメーションレンズの光を前記画面素子に均一に入射されるように作るＦＥＬ（Ｆｌｙ  Ｅｙｅ  Ｌｅｎｓ）と、前記ＦＥＬを通過した光を上向きに偏向させて照明し、前記ＦＥＬの光軸に垂直でない第１及び第２辺と、前記第１及び第２辺に連結される第３及び第４辺とを有し、前記第３辺及び第４辺のそれぞれと前記第１辺とは鋭角で連結され、前記第３辺及び第４辺のそれぞれと前記第２辺とは鈍角で連結されるプリズムと、前記プリズムから照明された光を受けて映像を具現し、前記照明部の光軸と異なる軸に中心が位置する画面素子と、を含んでなるプロジェクターを提供する。
【０００８】
本発明のプロジェクターによると、画面素子に光が上向き照明されるように光学系を構成するため、画面素子の位置選定に対する自由度が広くなり、設計者が所望の位置に画面素子を配置することが可能になる。
【図面の簡単な説明】
【０００９】
【図１】本発明によるプロジェクターを示す概略構成図である。
【図２】本発明によるプロジェクターの一例を示す概略構成図である。
【図３Ａ】本発明によるプロジェクターの上向き照明による画面素子の位置を説明するための概略的な概念図である。
【図３Ｂ】本発明によるプロジェクターの上向き照明による画面素子の位置を説明するための概略的な概念図である。
【図４】本発明によるプロジェクターの光学素子をＰＢＳ（Ｐｏｌａｒｉｚｉｎｇ  Ｂｅａｍ  Ｓｐｌｉｔｔｅｒ）にした場合に光が進行する経路を説明するための概略的な概念図である。
【図５】本発明の第１実施例によるプロジェクターの概略構成図である。
【図６Ａ】本発明の第１実施例によるプロジェクターのプリズムを透過する前後の光の角度分布を示す図である。
【図６Ｂ】本発明の第１実施例によるプロジェクターのプリズムを透過する前後の光の角度分布を示す図である。
【図７Ａ】本発明の第１実施例によるプロジェクターに適用されたプリズムを説明するための図である。
【図７Ｂ】本発明の第１実施例によるプロジェクターに適用されたプリズムを説明するための図である。
【図７Ｃ】本発明の第１実施例によるプロジェクターに適用されたプリズムを説明するための図である。
【図８】本発明の第２実施例によるプロジェクターを示す概略構成図である。
【図９】本発明の第３実施例によるプロジェクターを示す概略構成図である。
【図１０】本発明の第４実施例によるプロジェクターを示す概略構成図である。
【図１１】本発明の第４実施例に適用されたＦＥＬの部分断面図である。
【図１２Ａ】本発明の第４実施例によるプロジェクターのＦＥＬを透過する前後の光の角度分布を示す図である。
【図１２Ｂ】本発明の第４実施例によるプロジェクターのＦＥＬを透過する前後の光の角度分布を示す図である。
【図１３】本発明の第４実施例によるプロジェクターの他の例を説明するための概略構成図である。
【図１４】本発明の第５実施例によるプロジェクターを示す概略構成図である。
【図１５】本発明の第５実施例に適用された光ガイドブロックの概略斜視図である。
【図１６】本発明の第２実施例によるプロジェクターの変形例を示す概略構成図である。
【発明を実施するための形態】
【００１０】
以下、添付の図面を参照しつつ、本発明の好適な実施例について説明する。
【００１１】
図１は、本発明によるプロジェクターを示す概略構成図である。
本発明によるプロジェクターは、光源１００と、光源１００から出射された光を照明する照明部２００と、照明部２００の光を透過させる光学素子３００と、光学素子３００を透過した光を受けて映像を具現し、照明部２００の光軸Ａと異なる軸に中心Ｂが位置する画面素子５００と、を含んで構成される。
【００１２】
光学素子３００は、照明部２００からの光を透過させ、画面素子５００から反射された光をプロジェクターの投射部に反射させる機能を果たす。
【００１３】
したがって、光学素子３００は、照明部と投射部の光を分離する素子と定義することができる。
【００１４】
例えば、光学素子３００は、ＰＢＳ（Ｐｏｌａｒｉｚｉｎｇ  Ｂｅａｍ  Ｓｐｌｉｔｔｅｒ）とすることができる。
【００１５】
また、画面素子５００は、ＬＣＯＳ（Ｌｉｑｕｉｄ  Ｃｒｙｓｔａｌ  Ｏｎ  Ｓｉｌｉｃｏｎ）またはＤＭＤ（Ｄｉｇｉｔａｌ  Ｍｉｒｒｏｒ  Ｄｅｖｉｃｅ）のような反射型画面素子または透過型画面素子とすることができる。
【００１６】
そして、照明部２００は、光源１００から出射された光を画面素子５００に上向きに照明することによって、該照明部２００の光軸Ａと異なる軸に画面素子５００の中心Ｂが位置することを許容し、よって、画面素子の中心Ｂと照明部２００の光軸Ａとを一致させずに済む。
【００１７】
したがって、本発明のプロジェクターは、画面素子に光が上向きに照明されるように光学系を構成することによって、画面素子の位置選定に対する自由度が広くなり、設計者が所望の位置に画面素子を配置することが可能になる。
【００１８】
ここで、画面素子５００は、照明部２００の光軸Ａの上方に配置される。
【００１９】
図２は、本発明によるプロジェクターの一例を示す概略構成図である。
【００２０】
同図のプロジェクターは、照明部２００からこの照明部２００の光軸よりも上方の領域に光を照明することから、光の照明される上方の領域に画面素子５００を配置させることができ、よって、照明部２００の光軸Ａと画面素子５００の中心Ｂとは一致していない。
【００２１】
ここで、照明部２００は、光源１００から出射された光を一定の方向に平行に進行させるコリメーションレンズ（Ｃｏｌｌｉｍａｔｉｏｎ  ｌｅｎｓ）２１０と、コリメーションレンズ２１０の光を画面素子５００に均一に入射されるように作るインテグレータ（Ｉｎｔｅｇｒａｔｏｒ）２２０と、インテグレータ２２０から出射された光を画面素子５００に集光させるレンズ群２３０と、を含んで構成される。
【００２２】
ここで、コリメーションレンズ２１０は、光源１００から出射された光を平行にさせて集光し、該集光された光がインテグレータ２２０に入射させるように、第１及び第２コリメーションレンズ２１１，２１２で構成することが好ましい。
【００２３】
そして、第１及び第２コリメーションレンズ２１１，２１２を通してインテグレータ２２０に入射された光は、画面素子５００の形態でないから、インテグレータ２２０は、第１及び第２コリメーションレンズ２１１，２１２を通して入射された光を、画面素子５００の形態（例えば、矩形のビーム）にさせ、均一な光量で画面素子５００に入射させる。
【００２４】
また、レンズ群２３０は、第１及び第２照明用レンズ２３１，２３２で構成することができる。
【００２５】
図３Ａ及び図３Ｂは、本発明によるプロジェクターの上向き照明による画面素子の位置を説明するための概略的な概念図である。
【００２６】
前述したように、画面素子５００の位置は照明部の光軸と相関する。
すなわち、画面素子５００の中心Ｂが照明部の光軸Ａと異なる軸に位置するように画面素子５００を照明部に対して配置する。
【００２７】
ここで、画面素子５００は、オフセット（Ｏｆｆｓｅｔ）が１％〜２００％となるように配置されることが好ましい。
ここで、オフセットは、照明部の光軸Ａから画面素子５００の中心Ｂまでの距離ｄ１を、画面素子５００のアクティブ領域（Ａｃｔｉｖｅ  ａｒｅａ）ＡＡの半分（Ｈａｌｆ）で除算した百分率として定義される。
【００２８】
例えば、図３Ａに示すように、照明部の光軸Ａから画面素子５００の中心Ｂまでの距離ｄ１が画面素子５００のアクティブ領域の半分と同一であれば、画面素子５００は、オフセットが１００％となるように位置しているものである。
【００２９】
そして、図３Ｂに示すように、照明部の光軸Ａから画面素子５００の中心Ｂまでの距離ｄ２が、画面素子５００のアクティブ領域の半分よりも小さいと、画面素子５００は、オフセットが１００％以下になるように位置しているものである。
【００３０】
また、図示してはいないが、照明部の光軸Ａから画面素子５００の中心Ｂまでの距離が、画面素子５００のアクティブ領域の半分よりも大きいと、画面素子５００は、オフセットが１００％以上になるように位置しているものである。
【００３１】
図４は、本発明によるプロジェクターの光学素子をＰＢＳにした場合に光が進行される経路を説明するための概略的な概念図である。
【００３２】
照明部２００の光ａは、ＰＢＳ３０１を透過して画面素子５００に入射される。
【００３３】
そして、画面素子５００は、照明部２００の光ａを映像の具現された光とし、該映像の具現された光はＰＢＳ３０１から反射されて投射部６００を通してスクリーンに投射される。
【００３４】
図５は、本発明の第１実施例によるプロジェクターを示す概略構成図である。
【００３５】
本発明のプロジェクターで上向き照明する方法には様々なものがあり、下記の実施例では、上向き照明するためのプロジェクターの構成について説明する。
【００３６】
本発明の第１実施例によるプロジェクターは、プリズム３５０を用いて照明部から画面素子に光を上向き照明するように光学系を構成している。
【００３７】
したがって、このプロジェクターは、光源１００と、光源１００から出射された光を一定の方向に平行に進行させるコリメーションレンズ２１１，２１２と、コリメーションレンズ２１１，２１２の光を画面素子５００に均一に入射されるように作るＦＥＬ  ２２１と、ＦＥＬ  ２２１を通過した光を上向きに偏向させて画面素子５００に照明するプリズム３５０と、を含んで構成される。
ここで、ＦＥＬ  ２２１は、等価の機能を行う光部品に取り替えても良い。
【００３８】
要するに、第１実施例のプロジェクターは、照明部内にプリズム３５０を設け、このプリズム３５０により光源１００から出射された光を上向きに偏向させて画面素子５００に入射されるように構成したものである。
【００３９】
すなわち、図６Ａに示すように、ＦＥＬ  ２２１を通過した光は、左右−上下対称の形状とされ、光軸を基準に対称な光の角度が分布する。
【００４０】
そして、図６Ｂに示すように、プリズム３５０を通過した光は、プリズム３５０による偏向効果から、光軸を基準に上向きに移動した光の角度が分布する。
ここで、光が移動する角度は、プリズムの角度により定められ、上向き照明の度合によってプリズムの角度が決定される。
【００４１】
そして、プリズム３５０とＰＢＳ  ３０１との間及びＰＢＳ  ３０１と画面素子５００との間のそれぞれには、照明レンズ２３３，２３４を介在することができる。
【００４２】
図７Ａ乃至図７Ｃは、本発明の第１実施例によるプロジェクターに適用されたプリズムを説明するための図である。
【００４３】
プリズムは、くさび形状を有するもので、図７Ａに示すように、入射される光及び出射される光を屈折させて上向き照明する構造、図７Ｂに示すように、出射される光を屈折させて上向き照明する構造、及び、図７Ｃに示すように、入射される光を屈折させて上向き照明する構造のうちいずれかとする。
【００４４】
図７Ａの構造では、入射される光及び出射される光を屈折させて上向き照明するために、プリズムの入射面と出射面が所定角度θ１，θ２で傾斜しており、図７Ｂの構造では、出射される光を屈折させて上向き照明するために、プリズムの出射面が所定角度θ３で傾斜しており、図７Ｃの構造では、入射される光を屈折させて上向き照明するために、プリズムの入射面が所定角度θ４で傾斜している。
そして、図７Ａのプリズムは、照明部の光軸に垂直でない２辺を持つ。
【００４５】
さらにいうと、このプリズムは、ＦＥＬの光軸に垂直でない第１及び第２辺とこれら第１及び第２辺に連結される第３及び第４辺とを有し、第３辺及び第４辺のそれぞれと第１辺とは鋭角で連結され、第３辺及び第４辺のそれぞれと第２辺は鈍角で連結される構造とされている。
【００４６】
図８は、本発明の第２実施例によるプロジェクターを示す概略構成図である。
第２実施例によるプロジェクターは、２個の照明レンズの光軸を移動させて画面素子に光を上向き照明するように光学系を構成している。
【００４７】
したがって、このプロジェクターは、光源１００と、光源１００から出射された光を一定の方向に平行に進行させるコリメーションレンズ２１１，２１２と、コリメーションレンズ２１１，２１２の光を画面素子５００に均一に入射されるように作るＦＥＬ  ２２１と、ＦＥＬ  ２２１の光軸と異なる光軸をそれぞれ有し、ＦＥＬ  ２２１を通過した光を画面素子５００に上向き照明する第１及び第２照明レンズ２３５，２３６と、を含んで構成される。
【００４８】
すなわち、第２実施例によるプロジェクターは、第１及び第２照明レンズ２３５，２３６のそれぞれの光軸を、ＦＥＬ  ２２１の光軸とずれるように移動させて、ＦＥＬ  ２２１を通過した光が画面素子５００に上向き照明されるように構成したものである。
【００４９】
ここで、第１照明レンズ２３５の光軸はＦＥＬ  ２２１の光軸よりも上方にし、第２照明レンズ２３６の光軸は第１照明レンズ２３５の光軸よりも上方にすることで、ＦＥＬ  ２２１を通過した光は、第１照明レンズ２３５で上向きにされ、第１照明レンズ２３５を通過した光は第２照明レンズ２３６で上向きにされる。
【００５０】
本実施例ては第１及び第２照明レンズ２３５，２３６のような２個の照明レンズをプロジェクターに適用したが、少なくとも一つの照明レンズをプロジェクターに適用すればいい。
【００５１】
図９は、本発明の第３実施例によるプロジェクターを示す概略構成図である。
第３実施例によるプロジェクターは、第１実施例によるプロジェクターにおいて光源１００、コリメーションレンズ２１１，２１２及びＦＥＬ  ２２１の第１光軸を、照明レンズ２３３の第２光軸からチルト（Ｔｉｌｔ）させて上向き照明するように構成したものである。
【００５２】
このプロジェクターにおいて、光源１００から出射された光はコリメーションレンズ２１１，２１２及びＦＥＬ  ２２１を通して第１光軸方向に進行し、照明レンズ２３３からはチルトしている第２光軸方向に進行して画面素子５００に上向き照明される。
【００５３】
第２及び第３実施例のプロジェクターは、追加部品なしに光軸移動またはチルトを用いて照明系が上向き照明できるようにする。
【００５４】
一方、本発明の第３実施例は、図１のプロジェクターの構成において、照明部が、光源１００から出射された光を一定の方向に平行に進行させるコリメーションレンズ２１１，２１２と、コリメーションレンズ２１１，２１２の光を画面素子５００に均一に入射されるように作るＦＥＬ  ２２１と、光源１００、コリメーションレンズ２１１，２１２及びＦＥＬ  ２２１の光軸からチルトしている照明レンズ２３３と、で構成される。
【００５５】
照明レンズ２３３は、ＦＥＬ  ２２１とＰＢＳ  ３０１との間に配置される。
【００５６】
また、ＰＢＳ  ３０１と画面素子５００との間に照明レンズ２３４を介在することができる。
【００５７】
図１０は、本発明の第４実施例によるプロジェクターを示す概略構成図である。
本発明の第４実施例によるプロジェクターは、光源１００及びコリメーションレンズ２１１，２１２の光軸がＦＥＬ  ２２２の光軸からチルトしており、ＦＥＬ  ２２２は、入射面に設けられて、入射された光を出射面に集光するマイクロレンズと、出射面に設けられて、集光された光を光軸から上向きに進行させるマイクロレンズと、を含む。
【００５８】
したがって、コリメーションレンズ２１１，２１２を通過した光は、ＦＥＬ  ２２２で上向きにされて画面素子５００に照明される。
【００５９】
ここで、光源１００及びコリメーションレンズ２１１，２１２の光軸とＦＥＬ  ２２２の光軸を同一に整列することができる。
【００６０】
そして、ＦＥＬ  ２２２は、図１１に示すように、光入射面及び光出射面の断面が鋸歯状に形成されている。この光入射面及び光出射面の断面は、それぞれのマイクロレンズの各断面によって鋸歯状になる。
【００６１】
また、図１２Ａに示すように、ＦＥＬ  ２２２に入射される前の光の角度分布は、ＦＥＬ  ２２２の光軸に対して、光源１００及びコリメーションレンズ２１１，２１２の光軸がチルトしていることから、左側に分布しているが、図１２Ｂに示すように、ＦＥＬ  ２２２を通過した光の角度分布は、光軸に対して上向きにされて右側に分布することとなる。
【００６２】
また、図１３に示すように、光源１００の中心を、コリメーションレンズ２１１，２１２の光軸よりも上方に配置させることで、光を画面素子５００に上向き照明することができる。
【００６３】
図１４は、本発明の第５実施例によるプロジェクターを示す概略構成図である。
本発明の第５実施例によるプロジェクターは、光ガイドブロック（Ｌｉｇｈｔ  Ｇｕｉｄｅ  Ｂｌｏｃｋ）６００を用いて画面素子５００に上向き照明する。
【００６４】
光ガイドブロック６００は、光源１００と照明レンズ６２１，６２２との間に整列され、光ガイドブロック６００の光軸と照明レンズ６２１，６２２の光軸とをずらして整列させる。
ここで、光ガイドブロック６００の入口に光源１００から出射された光が入射され、光ガイドブロック６００の出口から抜け出た光が、照明レンズ６２１，６２２及びＰＢＳ  ３０１を通して画面素子５００に上向き照明される。
【００６５】
照明レンズ６２１，６２２は、光ガイドブロック６００の出口から抜け出た光をＰＢＳ  ３０１に集光させる。
【００６６】
そして、光ガイドブロック６００は、四角形の貫通孔が形成されている四角筒形に製作されるもので、４枚のミラーを付着して形成することもでき、ガラスまたは透明体で形成することもできる。
【００６７】
光ガイドブロック６００をガラスまたは透明体で製作した場合、ブロックの屈折率が空気よりも大きいから、その差によって光は内部全反射されてガイドされる。
【００６８】
そして、光ガイドブロック６００は、光を、画面素子５００のアクティブ領域の形状と同一な四角形のビームにさせる。
【００６９】
また、図１６のプロジェクターは、上記の第２実施例によるプロジェクターの変形例で、光源１００と照明レンズ６２１，６２２との間に、光源１００から出射された光を集光させる第１及び第２集光レンズ６１１，６１２と、第１及び第２集光レンズ６１１，６１２で集光された光を、画面素子５００の形状と同一の形状にさせる光ガイドブロック６００と、を介在し、また、光ガイドブロック６００の光軸と照明レンズ６２１，６２２の光軸とをずらして整列させてなる。
【００７０】
このプロジェクターでも、第１及び第２集光レンズ６１１，６１２で光源１００から出射された光を光ガイドブロック６００に集光させ、光ガイドブロック６００にガイドされた光を照明レンズ６２１，６２２でＰＢＳ  ３０１を通して画面素子５００に上向き照明する。
【００７１】
そして、ＰＢＳ  ３０１と画面素子５００との間には、照明レンズ６２３を介在することができる。
【００７２】
以上では本発明の具体的な実施例を説明してきたが、本発明の技術思想の範囲内で様々な変形及び修正が可能であるということが当業者には明らかであり、よって、これら変形及び修正も添付の特許請求の範囲に属することは当然である。
【図１】
0005559076.tif 000002
【図２】
0005559076.tif 000003
【図３Ａ】
0005559076.tif 000004
【図３Ｂ】
0005559076.tif 000005
【図４】
0005559076.tif 000006
【図５】
0005559076.tif 000007
【図６Ａ】
0005559076.tif 000008
【図６Ｂ】
0005559076.tif 000009
【図７Ａ】
0005559076.tif 000010
【図７Ｂ】
0005559076.tif 000011
【図７Ｃ】
0005559076.tif 000012
【図８】
0005559076.tif 000013
【図９】
0005559076.tif 000014
【図１０】
0005559076.tif 000015
【図１１】
0005559076.tif 000016
【図１２Ａ】
0005559076.tif 000017
【図１２Ｂ】
0005559076.tif 000018
【図１３】
0005559076.tif 000019
【図１４】
0005559076.tif 000020
【図１５】
0005559076.tif 000021
【図１６】
0005559076.tif 000022